(57)【要約】【課題】衝撃等の影響による可動側バネの塑性変形領域への可動を防いだ走査線傾き調整機構、及びこれを備えた光走査装置、画像形成装置を提供する。【解決手段】一方の端部を支点として支持され、走査ビームを偏向するミラー４と、ミラー４の他方の端部へ、その反射面に対して垂直な方向から当接してミラー４を回動させ、走査線傾きを調整するアジャスタ２８と、アジャスタ２８とは反対方向からミラー４を押圧する可動側板バネ２９とを有し、傾き調整によるミラー４の移動量を制限する規制形状部を可動側板バネ２９と一体に形成した。【選択図】図７
2010039179.tif 000002
【特許請求の範囲】
【請求項１】
一方の端部を支点として支持され、走査ビームを偏向する反射光学素子と、
前記反射光学素子の他方の端部へ、前記反射光学素子の反射面に対して垂直な方向から当接して該反射光学素子を回動させ、走査線傾きを調整する当接部材と、
前記当接部材とは反対方向から前記反射光学素子を押圧する押圧部材とを有し、
傾き調整による前記反射光学素子の移動量を制限する規制部材と、前記押圧部材とを一体に形成したことを特徴とする走査線傾き調整機構。
【請求項２】
前記押圧部材の曲げ形状部の一部が前記規制部材をなすことを特徴とする請求項１記載の走査線傾き調整機構。
【請求項３】
前記当接部材は、ステッピングモータの回転軸に設置されたアジャスタであり、前記ステッピングモータの回転量に応じて前記反射光学素子の回動量が変化することを特徴とする請求項１又は２記載の走査線傾き調整機構。
【請求項４】
前記反射光学素子の一方の端部は、所定の部材に対して前記押圧部材の押圧方向と同じ方向に押し付けられて支持されていることを特徴とする請求項１から３の何れか１項記載の走査線傾き調整機構。
【請求項５】
請求項１から４のいずれか１項記載の走査線傾き調整機構を備えた光走査装置であって、
光ビーム射出手段と、前記光ビーム射出手段から出射された光ビームを主走査方向に偏向する主走査線偏向手段と、前記走査ビームを主走査線方向及び副走査線方向集光する走査レンズとを有し、前記主走査線偏向手段による偏向後の走査ビームを光照射対象体へ照射する光走査装置。
【請求項６】
潜像担持体と、画像情報に応じた光ビームを前記潜像担持体表面に走査しながら照射することにより該潜像担持体表面に潜像を書き込む光書込手段と、該光書込手段によって前記潜像担持体表面に形成された潜像を現像して可視像化する現像手段とを備え、
前記光書込手段として請求項５記載の光走査装置が用いられたことを特徴とする画像形成装置。
【発明の詳細な説明】
【技術分野】
【０００１】
本発明は、走査線の傾きを調整する機構、光走査装置、画像形成装置に関する。
【背景技術】
【０００２】
レーザビームプリンタ、デジタル複写機、レーザＦＡＸなどにおける画像形成装置は、光源からの光ビームを偏向走査する多角形に形成されたポリゴンミラーと、ポリゴンミラーによって走査された光ビームを感光体面上に結像するための光学素子（走査レンズ）とを備え、書き込み開始位置を決定するために、有効露光領域外の走査開始側に光検知器が設けられている。
【０００３】
このようなカラー画像形成装置では、光学素子の像面湾曲特性、光学ハウジングのねじれ、感光体の取り付け時のねじれなどによって、レーザ走査線に湾曲や傾きが発生するといった問題がある。
【０００４】
この問題を解決する方法は様々提案されている。例えば、特許文献１には、反射ミラーの片側を支点として光軸方向に沿った方向に反射ミラーを移動することにより、走査線傾きを調整する方法が提案されている。
【０００５】
しかしながら、反射ミラーの可動側バネの移動量に対して制限を加えることについては何ら開示されておらず、可動側バネの塑性変形領域に至る衝撃等が加わった場合、反射ミラーの調整が実施できなくなる可能性がある。
【０００６】
また、特許文献２には、副走査方向にパワーを持つ第２の走査レンズの中心を支点として、両端側の可動バネを設け、片側を光軸方向に直角に移動させることにより、走査線傾きを調整する方法が提案されており、両側の可動バネの塑性変形領域に至る前に移動を規制する規制部材を追加することが提案されている。
【特許文献１】特開２００３−２８７７００号公報
【特許文献２】特開２００７−１２１６３５号公報
【発明の開示】
【発明が解決しようとする課題】
【０００７】
しかしながら、最も簡素でコストの安い、主・副走査方向にパワーを持つ第１の走査レンズのみを有する光学系は、第２の走査レンズを備えないため、この走査線傾き調整機構を設けること自体ができない。
【０００８】
本発明は係る問題に鑑みてなされたものであり、衝撃等の影響による可動側バネの塑性変形領域への可動を防いだ走査線傾き調整機構、及びこれを備えた光走査装置、画像形成装置を提供することを目的とする。
【課題を解決するための手段】
【０００９】
上記目的を達成するため、本発明は、第１の態様として、一方の端部を支点として支持され、走査ビームを偏向する反射光学素子と、反射光学素子の他方の端部へ、反射光学素子の反射面に対して垂直な方向から当接して該反射光学素子を回動させ、走査線傾きを調整する当接部材と、当接部材とは反対方向から反射光学素子を押圧する押圧部材とを有し、傾き調整による反射光学素子の移動量を制限する規制部材と、押圧部材とを一体に形成したことを特徴とする走査線傾き調整機構を提供するものである。
【００１０】
また、上記目的を達成するため、本発明は、第２の態様として、上記本発明の第１の態様に係る走査線傾き調整機構を備えた光走査装置であって、光ビーム射出手段と、光ビーム射出手段から出射された光ビームを主走査方向に偏向する主走査線偏向手段と、走査ビームを主走査線方向及び副走査線方向集光する走査レンズとを有し、主走査線偏向手段による偏向後の走査ビームを光照射対象体へ照射する光走査装置を提供するものである。
【００１１】
また、上記目的を達成するため、本発明は、第３の態様として、潜像担持体と、画像情報に応じた光ビームを潜像担持体表面に走査しながら照射することにより該潜像担持体表面に潜像を書き込む光書込手段と、該光書込手段によって潜像担持体表面に形成された潜像を現像して可視像化する現像手段とを備え、光書込手段として上記本発明の第２の態様に係る光走査装置が用いられたことを特徴とする画像形成装置を提供するものである。
【発明の効果】
【００１２】
本発明によれば、衝撃等の影響による可動側バネの塑性変形領域への可動を防いだ走査線傾き調整機構、及びこれを備えた光走査装置、画像形成装置を提供できる。
【発明を実施するための最良の形態】
【００１３】
本発明の好適な実施の形態について説明する。
図１に、本実施形態に係るデジタルカラー書き込み処理システムの概略内部構成を示す。図示するように、このシステムは、ポリゴンミラー１ａ、１ｂ、防音ガラス２ａ、２ｂ、レンズ３ａ、３ｂ、第１のミラー４ａ〜４ｄ、第２のミラー６ａ〜６ｄ、第３のミラー７ａ〜７ｄ、防塵ガラス８ａ〜８ｄ、感光体９ａ〜９ｄ、蓋１０、上段蓋１１、下段蓋１２及び光学ハウジング１３ａ、１３ｂを有する。
【００１４】
ポリゴンミラー１ａ、１ｂは、多角形の側面に反射ミラーを有し、高速回転により、不図示の光源から出射されたレーザ光を偏向・走査する。防音ガラス２ａ、２ｂは、ポリゴンモータの防音効果を備える。レンズ３ａ、３ｂは、ポリゴンミラー１ａ、１ｂによってビーム走査の等角度運動を等速直線運動へと変換し、ポリゴンミラー１ａ、１ｂの面倒れを補正する。第１のミラー４ａ〜４ｄ、第２のミラー６ａ〜６ｄ、第３のミラー７ａ〜７ｄは、感光体９ａ〜９ｄへとレーザ光を導く。防塵ガラス８ａ〜８ｄは、光学ハウジング内への塵などの落下を防止する。感光体９ａ〜９ｄは、像を形成する。光学ハウジング１３ａ（壁面）、１３ｂ（光学素子配置面）は、上記光学素子が配置される。蓋１０、上段蓋１１、下段蓋１２は、光学ハウジング１３ａ、１３ｂを密閉する。
【００１５】
図２に、上記本実施形態に係るデジタルカラー書き込み処理システムを備えたデジタルカラー複写機の概略構成を示す。
光学ハウジング１３から発せられる書き込みレーザ光１４ａ〜１４ｄで感光体９ａ〜９ｄに像を形成し、中間転写ベルト１８に転写する装置である。図中、矢印Ａは、中間転写ベルト１８の駆動方向を示す。
【００１６】
図３に、上記本実施形態に係るデジタルカラー書き込み処理システムに適用されている走査線傾き調整機構の構成を示す。
感光体９へとレーザ光を導くミラー４、ミラー４を固定する支点側板バネ２２、ミラー４を保持し、走査線傾きを自動調整するミラー端部の可動部側のパルスモータ２６、パルスモータホルダ２７、アジャスタ２８、可動側板バネ２９、光学ハウジングの受け部３０で構成されている。
【００１７】
図４に示すように、反射光学素子（ミラー４）の端部をアジャスタ２８で押す構成となるように、走査線傾き調整用ステッピングモータ２６が設けてあり、ステッピングモータを回転駆動させることによって、回転方向に応じてアジャスタ２８が図５中の上下方向へ移動する。ステッピングモータ２６及びアジャスタ２８の動きに連動して、ミラー４が反射面に垂直方向に傾き（移動し）、図６に示すように走査線傾きが調整可能となる。
【００１８】
図７や図８に示すように、ミラー４を反射面と垂直な方向に傾けて走査線の傾きを調整する際、アジャスタ２８の引き込み方向に対するミラー４の追従性を良くするためにミラー４を介してアジャスタ２８と対向側に可動側板バネ２９が設けてある。
【００１９】
一方、図９に示すように、ミラー４の支点側は、光学ハウジングの受け部３０によって支持されており、対向側に支点側板バネ２２が設けてある。すなわち、支点側バネ２２の弾性力によって、ミラー４の支点側は、光学ハウジングの受け部３０に圧接させられている。このような構成とすることにより、軸受でミラー４の一端を支持しなくとも、支点を中心として反射面と垂直な方向へ傾けることが可能となる。
【００２０】
図１０に示すような従来構成において、可動側板バネ２９に対して、その弾性変形領域を超えた衝撃（本体輸送時等）がミラー４の傾き方向に加わると、可動側板バネ２９が塑性変形し、走査線傾き調整が実施できなくなる場合があった。
本実施形態においては、図７や図８に示すように可動側板バネ２９の一部を曲げて規制形状部を設け、可動量を規制することにより、別部品を追加することなく、シンプルで省スペースに可動側板バネ２９の塑性変形を防止する可動量の規制を行える。
【００２１】
このように本実施形態によれば、走査レンズ（主・副走査方向に主なるパワーを有するレンズ）が各色一つといったシンプルな構成で、各色に対して、少なくとも１枚の折り返しミラーを有し、走査線傾きをこのミラーの片側を支点として調整する光走査装置において、衝撃等の影響による可動側バネの塑性変形領域への可動を防止できる。
【００２２】
なお、上記実施形態は本発明の好適な実施の一例であり、本発明はこれに限定されることなく様々な変形が可能である。
【図面の簡単な説明】
【００２３】
【図１】本発明の好適な実施の形態に係るデジタルカラー書き込み処理システムの概略内部構成を示す図である。
【図２】本発明の好適な実施の形態に係るデジタルカラー複写機の概略構成を示す図である。
【図３】走査線傾き調整機構の構成を示す図である。
【図４】走査線傾き調整機構のミラーの可動端部の構成を示す図である。
【図５】ステッピングモータの回転運動を直線運動に変換する機構の一例を示す図である。
【図６】ミラーを反射面と垂直な方向に傾けて走査線傾きを調整する状態を示す図である。
【図７】本発明の好適な実施の形態に係る走査線傾き調整機構の構成を示す図である。
【図８】本発明の好適な実施の形態に係る走査線傾き調整機構の構成を示す図である。
【図９】走査線傾き調整機構のミラーの支持端部の構成を示す図である。
【図１０】規制部材を備えた従来の走査線傾き調整機構のミラーの可動端部の構成を示す図である。
【符号の説明】
【００２４】
１ａ、１ｂ    ポリゴンミラー
２ａ、２ｂ    防音ミラー
３ａ、３ｂ    レンズ
４    ミラー
４ａ、４ｂ、４ｃ、４ｄ    第１のミラー
６ａ、６ｂ、６ｃ、６ｄ    第２のミラー
７ａ、７ｂ、７ｃ、７ｄ    第３のミラー
８ａ、８ｂ、８ｃ、８ｄ    防塵ガラス
９ａ、９ｂ、９ｃ、９ｄ    感光体
１０    蓋
１１    上段蓋
１２    下段蓋
１３ａ    光学ハウジング（壁面）
１３ｂ    光学ハウジング（光学素子配置面）
１４ａ、１４ｂ、１４ｃ、１４ｄ    光路
１５    光学ハウジング
１８    中間転写ベルト
２０    デジタルカラー機
２２    支点側板バネ
２６    パルスモータ
２７    パルスモータホルダ
２８    アジャスタ
２９    可動側板バネ
３０    光学ハウジングの受け部
【図１】
2010039179.tif 000003
【図２】
2010039179.tif 000004
【図３】
2010039179.tif 000005
【図４】
2010039179.tif 000006
【図５】
2010039179.tif 000007
【図６】
2010039179.tif 000008
【図７】
2010039179.tif 000009
【図８】
2010039179.tif 000010
【図９】
2010039179.tif 000011
【図１０】
2010039179.tif 000012